(57)【要約】【課題】コンテンツ転送装置が転送を停止した場合でも、ユーザ操作を伴うことなく、自動的に他のコンテンツ転送装置からの同一ストリームコンテンツの受信再開を行うことができるコンテンツ再生制御装置を提供する。【解決手段】第１のコンテンツ転送装置からのストリーム遮断を検知する遮断検知部と、遮断検知部がストリーム遮断を検知した場合に、ネットワークに接続されている第２のコンテンツ転送装置が存在するかどうかを検索するＤＭＳ検索部と、ＤＭＳ検索部が検索した第２のコンテンツ転送装置に対し、ストリームコンテンツの転送要求信号を送信するコンテンツ要求制御部とを備えた。【選択図】図３
2016025627.tif 000002
【特許請求の範囲】
【請求項１】
第１のコンテンツ転送装置からネットワークを介して、要求したストリームコンテンツをリアルタイム受信するコンテンツ再生制御装置であって、
前記第１のコンテンツ転送装置からのストリーム遮断を検知する遮断検知部と、
前記遮断検知部が前記ストリーム遮断を検知した場合に、前記ネットワークに接続されている第２のコンテンツ転送装置が存在するかどうかを検索するＤＭＳ検索部と、
前記ＤＭＳ検索部が検索した前記第２のコンテンツ転送装置に対し、前記ストリームコンテンツの転送要求信号を送信するコンテンツ要求制御部
とを備えたコンテンツ再生制御装置。
【請求項２】
前記コンテンツ要求制御部は、
前記第１のコンテンツ転送装置から受信していた前記ストリームコンテンツの放送局情報を含む前記転送要求信号を送信する
ことを特徴とする請求項１記載のコンテンツ再生制御装置。
【請求項３】
第１のコンテンツ転送装置からネットワークを介して、要求したストリームコンテンツをリアルタイム受信するコンテンツ再生制御装置におけるコンテンツ再生制御方法であって、
遮断検知部が、前記第１のコンテンツ転送装置からのストリーム遮断を検知するステップと、
ＤＭＳ検索部が、前記遮断検知部が前記ストリーム遮断を検知した場合に、前記ネットワークに接続されている第２のコンテンツ転送装置が存在するかどうかを検索するステップと、
コンテンツ要求制御部が、前記ＤＭＳ検索部が検索した前記第２のコンテンツ転送装置に対し、前記ストリームコンテンツの転送要求信号を送信するステップ
とを備えたコンテンツ再生制御方法。
【請求項４】
コンテンツ再生制御装置がネットワークを介して、第１のコンテンツ転送装置に対してストリームコンテンツ要求を行い、前記第１のコンテンツ転送装置が、前記ストリームコンテンツ要求に応じて、前記ストリームコンテンツを前記コンテンツ再生制御装置にリアルタイム転送するコンテンツ転送処理システムにおいて、
前記コンテンツ再生制御装置は、
前記第１のコンテンツ転送装置からのストリーム遮断を検知する遮断検知部と、
前記遮断検知部が前記ストリーム遮断を検知した場合に、前記ネットワークに接続されている第２のコンテンツ転送装置が存在するかどうかを検索するＤＭＳ検索部と、
前記ＤＭＳ検索部が検索した前記第２のコンテンツ転送装置に対し、前記ストリームコンテンツの転送要求信号を送信するコンテンツ要求制御部
とを備えたことを特徴とするコンテンツ転送処理システム。
【発明の詳細な説明】
【技術分野】
【０００１】
この発明は、ＤＭＳ機能を備えたコンテンツ転送装置から転送されるストリームコンテンツをリアルタイム受信しストリームコンテンツの再生制御を行う、ＤＭＰ機能を備えたコンテンツ再生制御装置に関するものである。
【背景技術】
【０００２】
近年、ＩＰ放送やデジタル放送を受信するセットトップボックスや放送受信装置では、ＤＬＮＡ（Digital Living Network Alliance）ガイドラインに基づき、ＤＴＣＰ−ＩＰ（Digital Transmission Content Protection-Internet Protocol）の規定に従って、著作権保護対象の放送または蓄積コンテンツを、宅内ネットワーク内に接続された情報通信機器に、リアルタイムでデジタル転送またはデジタル配信を行うストリーム受信・転送・配信を行うＤＭＳ（Digital Media Server）機能を備えた機器が普及してきている。また、ＤＭＳから配信されるコンテンツを受信し、場合によっては自身で表示するＤＭＰ（Digital Media Player）機能を備えた情報通信機器も、同様に普及が進んでいる。従って、宅内ネットワーク内に複数のＤＭＳ、複数のＤＭＰが接続されることが一般的になってきている。
【０００３】
ＤＭＳからＤＭＰに対してコンテンツを送信する形態のひとつとして、ＤＭＳが受信するストリームコンテンツをリアルタイムにＤＭＰに対して転送を行うライブコンテンツ配信のガイドラインがＤＬＮＡに含まれている。ライブコンテンツ配信では、ＤＭＰがＤＭＳに対してデジタル放送の特定チャンネルを転送するよう要求を行い、ＤＭＳはＤＭＰからの要求に応じて、要求された放送チャンネルのストリームコンテンツを放送局装置から受信し、ＤＴＣＰ−ＩＰ規定にしたがって著作権保護処理を行ったうえで、ＤＭＰに対してリアルタイムに転送を行う。
【０００４】
ＤＭＳが供給電源の停止やハングアップなどの機能停止、通信不良に陥った場合は、ＤＭＰへのストリームコンテンツ配信が停止され、ＤＭＰでのストリームコンテンツの再生が停止する。このとき、ＤＭＰによる所望のストリームコンテンツ視聴を継続するための手段として、配信を停止したＤＭＳ装置へユーザによる手動でのストリームコンテンツ配信の再要求や、ＤＭＰ機器によって自動的に配信を停止したＤＭＳ装置への配信再開要求が行われる機器がある。それでも解決しない場合は、配信を停止したＤＭＳ装置の再起動やネットワーク断線の復旧、または別のＤＭＳ装置に同一ストリームコンテンツのリアルタイム転送の要求をユーザが行うこともある。しかしながら、それらの努力によってＤＭＳからＤＭＰへのストリームコンテンツ配信が再開されたとしても、復旧までに要した時間分のストリームコンテンツを見逃してしまうこととなる。
【０００５】
そこで、ストリームコンテンツの供給元装置（コンテンツ転送装置）が意図せず配信を停止した際に復旧を早める改善策として、例えば、特許文献１には、ストリームコンテンツを受信する側の電子機器（コンテンツ再生制御装置）において、供給元装置からのストリーム転送停止を検知し、ユーザに警告を伝達し、ユーザにストリームコンテンツの供給元装置の電源をＯＮにするなどの復旧操作を促すという技術が開示されている。
また、例えば、特許文献２には、ストリームコンテンツをリアルタイム転送する装置（コンテンツ転送装置）ではなく、ストリームコンテンツを録画するＤＬＮＡガイドラインに沿ったＤＭＳ装置が複数存在する場合に、一方のＤＭＳ装置がストリームコンテンツの録画中に、何らかの異常により録画を停止した場合に、もう一方のＤＭＳ装置がそれを検知し、同一ストリームコンテンツの録画を引き継いで実行し、その後、ＤＭＰ機能を備えた情報通信機器（コンテンツ再生制御装置）において、分割されたストリームコンテンツをユーザが切替操作することなくあたかも１つの録画コンテンツとして受信再生させることができる技術が開示されている。
【先行技術文献】
【特許文献】
【０００６】
【特許文献１】特開２０１３−０７０３０７号公報
【特許文献２】特表２０１１―５２１４８３号公報
【発明の概要】
【発明が解決しようとする課題】
【０００７】
しかしながら、特許文献１に開示されているような技術では、例えば、ＩＰセットトップボックスのようなコンテンツ再生制御装置において、ストリームコンテンツをリアルタイムに転送するＤＭＳ装置（コンテンツ転送装置。例えばＩＰセットトップボックス）が停止した場合、ユーザがその原因を調査し、当該ＤＭＳ装置の復旧を行ったり、別のＤＭＳ装置にリアルタイム転送を要求する操作を行うため、ストリームコンテンツの転送が再開されたとしても、その間のストリームコンテンツを見逃してしまうという課題があった。
また、特許文献１に開示されている技術のように、ストリームコンテンツ配信元のＤＭＳ装置の異常をユーザに警告し、ユーザ自身で復旧操作を行うまでの時間を短縮する方法では、ユーザが自身で操作を行わなければならず、その間の再生中断時間や操作を行う煩雑さがあるという課題があった。
【０００８】
これに対し、特許文献２に開示されているような技術では、ユーザがＤＭＳ装置の切替操作をする必要はないが、一旦ＤＭＳ装置に録画し、後でコンテンツ再生制御装置にストリームコンテンツを配信させるものであって、１つのＤＭＳ機能を備える録画装置での録画が異常停止すると、他のＤＭＳを備える録画装置がそれを自動的に引き継ぐ方式となっており、複数のＤＭＳ装置が連携して録画のバックアップを相互に行い、後でコンテンツ再生制御装置においてストリームコンテンツを受信するため、コンテンツ再生制御装置がＤＭＳ装置に転送要求を行い、コンテンツ再生制御装置自身がＤＭＳ装置を自律的に切り替えるＤＬＮＡ規格のリアルタイム転送においては適用できないという課題があった。
【０００９】
この発明は、このような課題を解決するものであり、リアルタイムでストリームコンテンツの転送を行うコンテンツ転送装置からストリームコンテンツを受信するコンテンツ再生制御装置において、コンテンツ転送装置が転送を停止した場合でも、ユーザ操作を伴うことなく、自動的に他のコンテンツ転送装置からの同一ストリームコンテンツの受信再開を行うことができるコンテンツ再生制御装置を提供することを目的とする。
【課題を解決するための手段】
【００１０】
この発明は、第１のコンテンツ転送装置からネットワークを介して、要求したストリームコンテンツをリアルタイム受信するコンテンツ再生制御装置であって、第１のコンテンツ転送装置からのストリーム遮断を検知する遮断検知部と、遮断検知部がストリーム遮断を検知した場合に、ネットワークに接続されている第２のコンテンツ転送装置が存在するかどうかを検索するＤＭＳ検索部と、ＤＭＳ検索部が検索した第２のコンテンツ転送装置に対し、ストリームコンテンツの転送要求信号を送信するコンテンツ要求制御部とを備えたものである。
【発明の効果】
【００１１】
この発明によれば、リアルタイムでストリームコンテンツの転送を行うコンテンツ転送装置からストリームコンテンツを受信するコンテンツ再生制御装置において、コンテンツ転送装置が転送を停止した場合でも、ユーザ操作を伴うことなく、自動的に他のコンテンツ転送装置からの同一ストリームコンテンツの受信再開を行うことができる。
【図面の簡単な説明】
【００１２】
【図１】この発明の実施の形態１に係るコンテンツ再生制御装置を備えるコンテンツ転送処理システムの構成図である。
【図２】この発明の実施の形態１に係るコンテンツ再生制御装置の構成図である。
【図３】この発明の実施の形態１における制御部の構成図である。
【図４】この発明の実施の形態１に係るコンテンツ再生制御装置の動作を説明するフローチャートである。
【図５】図４のステップＳＴ１０１の動作について詳細に説明するフローチャートである。
【発明を実施するための形態】
【００１３】
以下、この発明の実施の形態について、図面を参照しながら詳細に説明する。
実施の形態１．
図１は、この発明の実施の形態１に係るコンテンツ再生制御装置１３を備えるコンテンツ転送処理システム１の構成図である。
コンテンツ転送処理システム１は、図１に示すように、コンテンツ転送装置１１と、コンテンツ再生制御装置１３を備え、コンテンツ転送装置１１とコンテンツ再生制御装置１３とは、ＩＰネットワーク１４を介して接続される。
【００１４】
コンテンツ転送装置１１は、ＤＭＳ機能を具備しており、例えば、ＨＤＤレコーダ、ネットワーク録画機器、ＰＣ、ＴＶセットトップボックスなどである。
コンテンツ再生制御装置１３は、ＤＭＰ機能を具備しており、例えば、ＴＶセットトップボックス、ゲーム機器、テレビ、ＰＣなどである。
【００１５】
コンテンツ転送処理システム１において、コンテンツ再生制御装置１３は、ＤＬＮＡ（Ｄｉｇｉｔａｌ  Ｌｉｖｉｎｇ  Ｎｅｔｗｏｒｋ  Ａｌｌｉａｎｃｅ）の規格に従い、コンテンツ転送装置１１に対して、放送局装置２１からの、放送局が現在放送中の番組に関するリスト情報（コンテンツリスト）を、ＩＰネットワーク１４を経由して要求し、コンテンツ転送装置１１は、コンテンツ再生制御装置１３に対し現在放送中の放送局のリスト情報を通知する。リスト情報は、コンテンツ転送装置１１が転送できる放送局の名前、放送局装置２１で放送中の番組が一般的にリスト化された情報である。コンテンツ再生制御装置１３は、取得したリスト情報をもとに、表示装置（図示を省略する）の操作画面上に、現在放送中の放送局、放送中の番組名を表示し、ユーザは操作画面から所望の放送局が放送中の番組の転送をコンテンツ再生制御装置１３に指示する。
コンテンツ再生制御装置１３は、ユーザが操作画面から選択した放送局のストリームコンテンツを転送するよう、コンテンツ転送装置１１に対してストリームコンテンツ転送要求を送信する。コンテンツ転送装置１１は、放送局装置２１から、コンテンツ再生制御装置１３から要求された放送局のストリームコンテンツの受信を開始し、同時にＩＰネットワーク１４を経由してストリームコンテンツをコンテンツ再生制御装置１３に転送する。コンテンツ再生制御装置１３は、コンテンツ転送装置１１から受信したストリームコンテンツを映像・音声データに変換し、テレビなどの表示装置（図示を省略する）に表示させる。
このように、ユーザは、コンテンツ再生制御装置１３に所望の放送局の転送を指示することで、今現在放送されている放送の選択指定視聴を開始する。
【００１６】
なお、ここでは、図１に示すように、２つのコンテンツ転送装置１１と１つのコンテンツ再生制御装置１３がＩＰネットワーク１４を介して接続されるものとしているが、これに限らず、１つ以上のコンテンツ転送装置１１と１つ以上のコンテンツ再生制御装置１３を、ＩＰネットワーク１４を介して接続することができる。
【００１７】
図２は、この発明の実施の形態１に係るコンテンツ再生制御装置１３の構成図である。
図２に示すように、コンテンツ再生制御装置１３は、通信部３１と、記憶部３２と、制御部３３と、復号処理部３４と、ユーザインタフェース部３５と、映像・音声出力部３６とを備える。
通信部３１は、ＩＰネットワーク１４を介して、コンテンツ転送装置１１と、リスト情報やストリームコンテンツ等のデータの送受信を行う。
【００１８】
制御部３３は、コンテンツ再生制御装置１３を制御し、図３に示すように、リスト情報取得制御部３０１と、選局受付部３０２と、コンテンツ要求制御部３０３と、再生コンテンツ記憶制御部３０４と、遮断検知部３０５と、ＤＭＳ検索部３０６とを備える。
リスト情報取得制御部３０１は、通信部３１を介して、コンテンツ転送装置１１に対し、現在放送中の放送局のリスト情報の要求信号を送信し、コンテンツ転送装置１１から受信した現在放送中の放送局のリスト情報を記憶部３２に保存する。
選局受付部３０２は、リスト情報取得制御部３０１が受信したリスト情報に基づき、ユーザインタフェース部３５を介し、ユーザに現在放送中の放送局リストを提示すると共に、ユーザから所望の放送局が放送中の番組の選択を受け付ける。
コンテンツ要求制御部３０３は、コンテンツ転送装置１１に対し、通信部３１を介して、放送局のストリームコンテンツの転送要求信号を送信する。
再生コンテンツ記憶制御部３０４は、再生を開始したストリームコンテンツの放送局情報を記憶部３２に保存する。
遮断検知部３０５は、コンテンツ転送装置１１からのストリーム遮断、すなわち、コンテンツ転送装置１１からストリームコンテンツが到着しないことを検知する。
ＤＭＳ検索部３０６は、遮断検知部３０５がストリーム遮断を検知した場合に、ＩＰネットワーク１４内に他のコンテンツ転送装置１１が存在するかどうかを検索する。
【００１９】
記憶部３２は、現在放送中の放送局のリスト情報と、再生中の放送局情報とを記憶する。
復号処理部３４は、コンテンツ転送装置１１から受信したストリームコンテンツのストリームデータの暗号を解除し、映像・音声データに変換する。
映像・音声出力部３６は、復号処理部３４によって変換された映像・音声データを、テレビなどの表示装置へ出力する。
【００２０】
動作について説明する。
図４は、この発明の実施の形態１に係るコンテンツ再生制御装置１３の動作を説明するフローチャートである。
図４に沿って、コンテンツ転送装置１１がストリーム転送中、何らかの原因で転送が停止された場合に、コンテンツ再生制御装置１３が自動的に再生を復旧する動作について説明する。なお、何らかの原因とは、例えば、省電力のため、電源ＯＦＦの状態になった場合や、不正なストリームコンテンツを受信した場合などがあげられる。
コンテンツ再生制御装置１３は、ストリームコンテンツの受信および表示装置へのコンテンツ再生を開始する（ステップＳＴ１０１）。
【００２１】
ここで、図５は、図４のステップＳＴ１０１の動作について詳細に説明するフローチャートである。
まず、リスト情報取得制御部３０１は、コンテンツ転送装置１１（第１のコンテンツ転送装置とする）に対し、通信部３１を介して、現在放送中の放送局のリスト情報の要求信号を送信する（ステップＳＴ２０１）。
リスト情報取得制御部３０１は、第１のコンテンツ転送装置１１から、通信部３１を介して、ステップＳＴ２０１で送信したリスト情報要求信号に応じたリスト情報を受信する（ステップＳＴ２０２）。なお、リスト情報は、コンテンツ転送装置１１が転送できる放送局の名前、放送局装置２１で放送中の番組が一般的にリスト化された情報であり、リスト情報取得制御部３０１は、この時受信したリスト情報を記憶部３２に記憶する。
また、ＩＰネットワーク１４内に接続されるコンテンツ転送装置１１が複数存在する場合に、どのコンテンツ転送装置１１を第１のコンテンツ転送装置１１とするかについては、従来の技術同様、コンテンツ再生制御装置１３が、ＤＬＮＡ規格に基づく、ＵＰｎＰ（Ｕｎｉｖｅｒｓａｌ  Ｐｌｕｇ  ａｎｄ  Ｐｌａｙ）という標準プロトコルを実行することで、接続されるコンテンツ転送装置１１を全て検出し、操作画面上に表示して、ユーザによって操作画面からどのコンテンツ転送装置１１で視聴するかが選択されている。
【００２２】
選局受付部３０２は、ステップＳＴ２０２でリスト情報取得制御部３０１が受信したリスト情報に基づき、ユーザインタフェース部３５を介し、ユーザに現在放送中の放送局リストを提示する（ステップＳＴ２０３）。具体的には、例えば、表示装置の操作画面上に、現在放送中の放送局、放送中の番組名を表示する。なお、これは一例であり、音声で現在放送中の放送局を出力装置（図示しない）から音声でユーザに提示するようにしてもよいし、その他の方法であってもよい。
選局受付部３０２は、ユーザから所望の放送局の選択を受け付ける（ステップＳＴ２０４）。具体的には、ユーザは、ステップＳＴ２０３において提示された情報に基づき、所望のストリームコンテンツに関する項目（例えば、放送局名）を選択し、選局受付部３０２は、ユーザインタフェース部３５を介し、ユーザが選択した、ユーザが再生したい放送局の情報を受信する。なお、実際には、放送局装置２１とコンテンツ転送装置１１とコンテンツ再生制御装置１３とは、放送局を特定するためのＩＤでやりとりを行っており、ユーザに提示する際は、ユーザが分かる放送局名に変換して操作画面上に表示する。
【００２３】
コンテンツ要求制御部３０３は、第１のコンテンツ転送装置１１に対し、通信部３１を介して、ステップＳＴ２０４で選局受付部３０２が受け付けた放送局のストリームコンテンツの転送要求信号を送信する（ステップＳＴ２０５）。
復号処理部３４は、第１のコンテンツ転送装置１１から、通信部３１を介して、ステップＳＴ２０５でコンテンツ要求制御部３０３が送信したストリームコンテンツ転送要求信号に応じたストリームコンテンツを受信して（ステップＳＴ２０６）、受信したストリームコンテンツのストリームデータのＭＰＥＧ、Ｈ．２６４などのデータ形式を解釈して音声・映像データの形にする符号化データの復号化、および、著作権保護のための暗号を解く暗号解除を行い、映像・音声データに変換する（ステップＳＴ２０７）。
映像・音声出力部３６は、ステップＳＴ２０７で復号処理部３４が変換した映像・音声データを表示装置に出力する（ステップＳＴ２０８）。これにより、表示装置では、ユーザの所望の放送局の再生が開始される。
【００２４】
図４のフローチャートに戻る。
再生コンテンツ記憶制御部３０４は、ステップＳＴ１０１（より詳細には、図５のステップＳＴ２０８）で再生を開始したストリームコンテンツの放送局情報を記憶部３２に保存する（ステップＳＴ１０２）。具体的には、図５のステップＳＴ２０６において復号処理部３４が受信した、第１のコンテンツ転送装置１１からのストリームコンテンツに含まれる放送局の情報を、復号処理部３４から受信し、記憶部３２に保存する。
なお、このとき保存される放送局の情報とは、番組を放送中の放送局を特定するためのＩＤである。
【００２５】
ここで、何らかの原因で、コンテンツ転送装置１１からのストリームコンテンツの転送が停止されたとすると、遮断検知部３０５は、第１のコンテンツ転送装置１１からのストリーム遮断、すなわち、第１のコンテンツ転送装置１１からストリームコンテンツが到着しないことを検知する（ステップＳＴ１０３）。具体的には、遮断検知部３０５は、復号処理部３４より、第１のコンテンツ転送装置１１からストリームコンテンツを受信しなかった、受信したストリームコンテンツが不正なデータであった、あるいは、第１のコンテンツ転送装置１１からエラー通知を受信したなど、何らかの原因で第１のコンテンツ転送装置１１からストリームコンテンツが到着しなかった旨の情報を受信し、ストリーム遮断を検知する。
【００２６】
コンテンツ要求制御部３０３は、第１のコンテンツ転送装置１１に対し、通信部３１を介して、再度ステップＳＴ２０４で受け付けた放送局のストリームコンテンツの転送要求信号を送信する（ステップＳＴ１０４）。
遮断検知部３０５は、ステップＳＴ１０４で再送信した転送要求信号を受けて、コンテンツ転送装置１１からストリームコンテンツの転送が再開されたかどうかを判定する（ステップＳＴ１０５）。具体的には、遮断検知部３０５は、再生コンテンツ記憶制御部３０４が、復号処理部３４からの放送局の情報を受信し、記憶部３２に保存できたか（ステップＳＴ１０２参照）どうかによって、ストリームコンテンツの転送が再開されたかどうかを判定する。
【００２７】
ステップＳＴ１０５において、ストリームコンテンツの転送が再開され、データ取得ができたと判断した場合（ステップＳＴ１０５の“ＹＥＳ”の場合）、ステップＳＴ１０１へ戻る。
ステップＳＴ１０５において、ストリームコンテンツの転送が再開されず、データ取得ができなかったと判断した場合（ステップＳＴ１０５の“ＮＯ”の場合）、ＤＭＳ検索部３０６は、ＩＰネットワーク１４内に他のコンテンツ転送装置１１（第２のコンテンツ転送装置とする）が存在するかどうかを検索する（ステップＳＴ１０６）。具体的には、ＤＭＳ検索部３０６は、ＤＬＮＡ規格に基づく、ＵＰｎＰ（Ｕｎｉｖｅｒｓａｌ  Ｐｌｕｇ  ａｎｄ  Ｐｌａｙ）という標準プロトコルを実行することで、ＩＰネットワーク１４内の第２のコンテンツ転送装置１１を検索する。
なお、ＩＰネットワーク１４内に接続されている他のコンテンツ転送装置１１が複数ある場合、どのコンテンツ転送装置１１を第２のコンテンツ転送装置１１とするかは、ユーザが、最初に、どのコンテンツ転送装置１１で視聴をするかを選択した際に、検索されたＩＰネットワーク１４内に接続されているコンテンツ転送装置１１に優先順位を設定しておき、設定された優先順位に従って、ＤＭＳ検索部３０６は、ＵＰｎＰを実行して該当のコンテンツ転送装置１１を検索するようにしてもよいし、ＤＭＳ検索部３０６が、例えば、検出できた順番など、自動で優先順位を決定するようにしてもよい。なお、予めユーザが設定した優先順位に従ったコンテンツ転送装置１１を再度検索するのは、該当のコンテンツ転送装置１１に異常などが発生して使用できない状態になっていないかを確認するためである。
【００２８】
なお、コンテンツ転送装置１１がＩＰネットワーク１４内にあっても、電源がＯＦＦされている場合、電源がＯＦＦされたコンテンツ転送装置１１はＵＰｎＰへ応答を返さないので、コンテンツ再生制御装置１３にとっては存在しないとみなされる。
【００２９】
ＤＭＳ検索部３０６は、ステップＳＴ１０６において、第２のコンテンツ転送装置１１を検索した結果、第２のコンテンツ転送装置１１があったかどうかを判断する（ステップＳＴ１０７）。
ステップＳＴ１０７において、第２のコンテンツ転送装置１１がないと判断した場合（ステップＳＴ１０７の“ＮＯ”の場合）、エラー終了し、ストリーム再生機能を停止する（ステップＳＴ１１１）。
ステップＳＴ１０７において、第２のコンテンツ転送装置１１があると判断した場合（ステップＳＴ１０７の“ＹＥＳ”の場合）、コンテンツ要求制御部３０３は、ステップＳＴ１０２で記憶したストリームコンテンツの放送局情報を、記憶部３２から読み出す（ステップＳＴ１０８）。
【００３０】
コンテンツ要求制御部３０３は、ステップＳＴ１０８で読み出したストリームコンテンツの放送局情報を含む、放送局装置２１からのストリームコンテンツの転送を要求するストリームコンテンツ転送要求信号を、ステップＳＴ１０７で見つけた第２のコンテンツ転送装置１１に送信する（ステップＳＴ１０９）。
遮断検知部３０５は、データ取得が再開されたか、すなわち、ステップＳＴ１０９においてストリームコンテンツ転送要求信号を第２のコンテンツ転送装置１１に送信した結果、第２のコンテンツ転送装置１１からストリームコンテンツを受信することができたかどうかを判定する（ステップＳＴ１１０）。具体的には、遮断検知部３０５は、再生コンテンツ記憶制御部３０４が、復号処理部３４からの放送局の情報を受信し、記憶部３２に保存できたか（ステップＳＴ１０２参照）どうかによって、ストリームコンテンツを受信することができたかどうかを判定する。
【００３１】
ステップＳＴ１１０において、データ取得が再開されない場合（ステップＳＴ１１０の“ＮＯ”の場合）、ステップＳＴ１０６に戻り、ＤＭＳ検索部３０６は、再度、第２のコンテンツ転送装置１１が存在しないか検索する。
ステップＳＴ１１０において、データ取得が再開された場合（ステップＳＴ１１０の“ＹＥＳ”の場合）、ステップＳＴ１０１（より詳しくは図４のＳＴ２０７）へ戻り、受信したストリームコンテンツの再生を開始する。
【００３２】
ステップＳＴ１０６において、ＤＭＳ検索部３０６は、ＩＰネットワーク１４内に第２のコンテンツ転送装置１１が存在するかどうかを検索することとしたが、これに限らず、上述したように、最初のコンテンツ転送要求を行うときに、コンテンツ再生制御装置１３が、ＤＬＮＡ規格に基づくＵＰｎＰを実行することで、接続されるコンテンツ転送装置１１を全て検出した結果のコンテンツ転送装置１１の情報をリスト化して記憶部３２に記憶しておくようにし、遮断検知部３０５が、第１のコンテンツ転送装置１１からストリームコンテンツが到着しないことを検知すると、コンテンツ要求制御部３０３が、記憶部３２に記憶したＩＰネットワーク１４内のコンテンツ転送装置１１のリストの情報から、次にストリームコンテンツを要求する第２のコンテンツ転送装置１１を選択するようにしてもよい。ただし、第２のコンテンツ転送装置１１を選択する際には、リストにあるコンテンツ転送装置１１は停止している可能性もあるので、改めてＵＰｎＰを実行して最新のＩＰネットワーク１４内のコンテンツ転送装置１１を検出したほうがより正確に、稼動している第２のコンテンツ転送装置１１を決定することができる。
【００３３】
以上のように、この実施の形態１によれば、コンテンツ転送装置によりリアルタイム転送されるストリームコンテンツの受信、再生制御を行うコンテンツ再生制御装置において、ストリームコンテンツを転送しているコンテンツ転送装置（第１のコンテンツ転送装置）が何らかの理由で配信を停止した場合でも、ユーザが能動的に操作をすることなく、別のコンテンツ転送装置（第２のコンテンツ転送装置）からの転送による同一ストリームコンテンツの受信、再生制御を再開することが可能となる。
【００３４】
なお、この実施の形態１において、コンテンツ再生制御装置１３は、図２，図３で示すような構成としたが、コンテンツ再生制御装置１３は、コンテンツ要求制御部３０３と、遮断検知部３０５と、ＤＭＳ検索部３０６とを備えることにより、上述したような効果が得られるものである。
また、記憶部３２は、コンテンツ再生制御装置１３が備えるものとしてもよいし、コンテンツ再生制御装置１３の外部に備えるものとしてもよい。
【００３５】
なお、本願発明はその発明の範囲内において、実施の形態の任意の構成要素の変形、もしくは実施の形態の任意の構成要素の省略が可能である。
また、実施の形態１におけるコンテンツ再生制御装置１３の制御に用いられる各部は、ソフトウェアに基づくＣＰＵを用いたプログラム処理によって実行される。
また、実施の形態１における記憶部３２は、ＨＤＤ、ＤＶＤ、メモリなどによって構成される。
【符号の説明】
【００３６】
１  コンテンツ転送処理システム、１１  コンテンツ転送装置、１３  コンテンツ再生制御装置、１４  ＩＰネットワーク、２１  放送局装置、３１  通信部、３２  記憶部、３３  制御部、３４  復号処理部、３５  ユーザインタフェース部、３６  映像・音声出力部、３０１  リスト情報取得制御部、３０２  選局受付部、３０３  コンテンツ要求制御部、３０４  再生コンテンツ記憶制御部、３０５  遮断検知部、３０６  ＤＭＳ検索部。
【図１】
2016025627.tif 000003
【図２】
2016025627.tif 000004
【図３】
2016025627.tif 000005
【図４】
2016025627.tif 000006
【図５】
2016025627.tif 000007